【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
下記の成分を含む超過塩基性のポリアルケニルスルホネートとアルキルアリールスルホネートとの組成物であって、全塩基価（ＴＢＮ）が４００より大きいスルホネート組成物：
（ａ）一種もしくは二種以上の超過塩基性のポリアルケニルスルホネート混合物、および
（ｂ）一種もしくは二種以上の超過塩基性のアルキルアリールスルホネート混合物。
【請求項２】
組成物のＴＢＮが４２５より大きい請求項１に記載の超過塩基性のポリアルケニルスルホネートとアルキルアリールスルホネートとの組成物。
【請求項３】
組成物のＴＢＮが４５０より大きい請求項２に記載の超過塩基性のポリアルケニルスルホネートとアルキルアリールスルホネートとの組成物。
【請求項４】
組成物の粘度が１００℃で２０乃至１０００ｃＳｔの範囲にあり、そしてＴＢＮが４２５である請求項１に記載の超過塩基性のポリアルケニルスルホネートとアルキルアリールスルホネートとの組成物。
【請求項５】
組成物の粘度が１００℃で４０乃至７５０ｃＳｔの範囲にあり、そしてＴＢＮが４２５である請求項４に記載の超過塩基性のポリアルケニルスルホネートとアルキルアリールスルホネートとの組成物。
【請求項６】
組成物の粘度が１００℃で６０乃至５００ｃＳｔの範囲にあり、そしてＴＢＮが４２５である請求項５に記載の超過塩基性のポリアルケニルスルホネートとアルキルアリールスルホネートとの組成物。
【請求項７】
一種もしくは二種以上の超過塩基性ポリアルケニルスルホネートと一種もしくは二種以上の超過塩基性アルキルアリールスルホネートとが、アルカリ金属又はアルカリ土類金属の塩またはそれらの混合物である請求項１に記載の超過塩基性組成物。
【請求項８】
超過塩基性ポリアルケニルスルホネートと超過塩基性アルキルアリールスルホネートとの一種または二種以上の混合物が、アルカリ土類金属塩である請求項７に記載の超過塩基性組成物。
【請求項９】
一種もしくは二種以上の超過塩基性ポリアルケニルスルホネートと一種もしくは二種以上の超過塩基性アルキルアリールスルホネートとが、カルシウム塩である請求項８に記載の超過塩基性組成物。
【請求項１０】
（ａ）成分の一種もしくは二種以上の超過塩基性ポリアルケニルスルホネートが、アルキルビニリデンを２０モル％より多く含む一種もしくは二種以上のポリアルケンと１，１−ジアルキルの異性体とから誘導された、ポリアルケニルスルホン酸又は安定化ポリアルケニルスルホン酸の塩である請求項１に記載の超過塩基性組成物。
【請求項１１】
アルキルビニリデン異性体がメチルビニリデン異性体であり、そして１，１−ジアルキル異性体が１，１−ジメチル異性体である請求項１０に記載の超過塩基性組成物。
【請求項１２】
ポリアルケンの数平均分子量が１６８乃至５０００の範囲にある請求項１１に記載の超過塩基性組成物。
【請求項１３】
ポリアルケンの数平均分子量が３５０乃至１０００の範囲にある請求項１２に記載の超過塩基性組成物。
【請求項１４】
ポリアルケンの数平均分子量が４００乃至６００の範囲にある請求項１３に記載の超過塩基性組成物。
【請求項１５】
ポリアルケンがポリイソブテンである請求項１０に記載の超過塩基性組成物。
【請求項１６】
（ｂ）成分の一種もしくは二種以上の超過塩基性アルキルアリールスルホネートのアルキルアリール部のアリール基が非フェノール系芳香環であり、そしてアルキル鎖が炭素原子４〜４０個を含む線状アルキル鎖又は分枝アルキル鎖である請求項１に記載の超過塩基性組成物。
【請求項１７】
アリール基がフェニルまたはトリルである請求項１６に記載の超過塩基性組成物。
【請求項１８】
アリール基がフェニルである請求項１７に記載の超過塩基性組成物。
【請求項１９】
アルキル鎖が炭素原子１２〜３２個を含む請求項１６に記載の超過塩基性組成物。
【請求項２０】
アルキル鎖が炭素原子２０〜２４個を含む請求項１９に記載の超過塩基性組成物。
【請求項２１】
アルキル鎖が炭素原子２０〜２４個を含む線状アルキル鎖である請求項２０に記載の超過塩基性組成物。
【請求項２２】
（ａ）一種もしくは二種以上の超過塩基性ポリアルケニルスルホネートと（ｂ）一種もしくは二種以上の超過塩基性アルキルアリールスルホネートとを含み、全塩基価（ＴＢＮ）が４００より大きい超過塩基性のポリアルケニルスルホネートとアルキルアリールスルホネートとの組成物を製造する方法であって、下記の工程からなる方法：
（ａ）（ｉ）一種もしくは二種以上のポリアルケニルスルホン酸、安定化ポリアルケニルスルホン酸またはそれらの混合物と、（ii）一種もしくは二種以上のアルキルアリールスルホン酸、安定化アルキルアリールスルホン酸またはそれらの混合物との混合物を調製する工程、
（ｂ）工程（ａ）の混合物を溶媒の存在下で、アルカリ金属又はアルカリ土類金属源、Ｃ1−Ｃ5アルカノールおよび二酸化炭素と反応させる工程。
【請求項２３】
超過塩基性のポリアルケニルスルホネートとアルキルアリールスルホネートとの組成物のＴＢＮが４２５より大きい請求項２２に記載の方法。
【請求項２４】
超過塩基性のポリアルケニルスルホネートとアルキルアリールスルホネートとの組成物のＴＢＮが４５０より大きい請求項２３に記載の方法。
【請求項２５】
超過塩基性のポリアルケニルスルホネートとアルキルアリールスルホネートとの組成物の粘度が１００℃で２０乃至１０００ｃＳｔの範囲にあり、そしてＴＢＮが４２５である請求項２２に記載の方法。
【請求項２６】
超過塩基性のポリアルケニルスルホネートとアルキルアリールスルホネートとの組成物の粘度が１００℃で４０乃至７５０ｃＳｔの範囲にあり、そしてＴＢＮが４２５である請求項２５に記載の方法。
【請求項２７】
超過塩基性のポリアルケニルスルホネートとアルキルアリールスルホネートとの組成物
の粘度が１００℃で６０乃至５００ｃＳｔの範囲にあり、そしてＴＢＮが４２５である請求項２６に記載の方法。
【請求項２８】
工程（ｂ）の金属がアルカリ土類金属である請求項２２に記載の方法。
【請求項２９】
アルカリ土類金属がカルシウムである請求項２８に記載の方法。
【請求項３０】
下記の成分を含む潤滑油組成物：
（ａ）主要量の潤滑粘度の油、および
（ｂ）（ｉ）一種もしくは二種以上の超過塩基性ポリアルケニルスルホネート混合物と、（ii）一種もしくは二種以上の超過塩基性アルキルアリールスルホネート混合物とからなる超過塩基性のポリアルケニルスルホネートとアルキルアリールスルホネートとの組成物であって、全塩基価（ＴＢＮ）が４００より大きいスルホネート組成物。
【請求項３１】
（ｂ）成分の超過塩基性のポリアルケニルスルホネートとアルキルアリールスルホネートとの組成物のＴＢＮが４２５より大きい請求項３０に記載の潤滑油組成物。
【請求項３２】
（ｂ）成分の超過塩基性のポリアルケニルスルホネートとアルキルアリールスルホネートとの組成物のＴＢＮが４５０より大きい請求項３１に記載の潤滑油組成物。
【請求項３３】
（ｂ）成分の超過塩基性のポリアルケニルスルホネートとアルキルアリールスルホネートとの組成物の粘度が１００℃で２０乃至１０００ｃＳｔの範囲にあり、そしてＴＢＮが４２５である請求項３０に記載の潤滑油組成物。
【請求項３４】
（ｂ）成分の超過塩基性のポリアルケニルスルホネートとアルキルアリールスルホネートとの組成物の粘度が１００℃で４０乃至７５０ｃＳｔの範囲にあり、そしてＴＢＮが４２５である請求項３３に記載の潤滑油組成物。
【請求項３５】
（ｂ）成分の超過塩基性のポリアルケニルスルホネートとアルキルアリールスルホネートとの組成物の粘度が１００℃で６０乃至５００ｃＳｔの範囲にあり、そしてＴＢＮが４２５である請求項３４に記載の潤滑油組成物。
【請求項３６】
下記の成分を含む潤滑油濃縮物：
（ａ）１０質量％乃至９０質量％の潤滑粘度の油、および
（ｂ）（ｉ）一種もしくは二種以上の超過塩基性ポリアルケニルスルホネートと、（ii）一種もしくは二種以上の超過塩基性アルキルアリールスルホネートとからなる超過塩基性のポリアルケニル及びアルキルアリールスルホネート組成物であって、全塩基価（ＴＢＮ）が４００より大きいスルホネート組成物。
【請求項３７】
（ｂ）成分の超過塩基性のポリアルケニルスルホネートとアルキルアリールスルホネートとの組成物のＴＢＮが４２５より大きい請求項３６に記載の潤滑油濃縮物。
【請求項３８】
（ｂ）成分の超過塩基性のポリアルケニルスルホネートとアルキルアリールスルホネートとの組成物のＴＢＮが４５０より大きい請求項３７に記載の潤滑油濃縮物。
【請求項３９】
（ｂ）成分の超過塩基性のポリアルケニルスルホネートとアルキルアリールスルホネートとの組成物の粘度が１００℃で２０乃至１０００ｃＳｔの範囲にあり、そしてＴＢＮが４２５である請求項３６に記載の潤滑油濃縮物。
【請求項４０】
（ｂ）成分の超過塩基性のポリアルケニルスルホネートとアルキルアリールスルホネー
トとの組成物の粘度が１００℃で４０乃至７５０ｃＳｔの範囲にあり、そしてＴＢＮが４２５である請求項３９に記載の潤滑油濃縮物。
【請求項４１】
（ｂ）成分の超過塩基性のポリアルケニルスルホネートとアルキルアリールスルホネートとの組成物の粘度が１００℃で６０乃至５００ｃＳｔの範囲にあり、そしてＴＢＮが４２５である請求項４０に記載の潤滑油濃縮物。